(57)【要約】【課題】  建物を、短期間で、しかも安価で提供できるようにすることを目的とする。【解決手段】  支持部材上に複数個のパネル部材を所定距離隔てて起立固着させ、前記パネル部材上に支持部材を載置して固着させ、前記支持部材上のパネル部材に対向する箇所に前記パネル部材と同一幅のパネル部材を起立固着させ、前記パネル部材上に支持部材を載置して固着し、順次前記と同様にして上層階を積層するようにした積層パネル部材工法とした。【選択図】  図１ 
2005061140.tif 000002
【特許請求の範囲】
【請求項１】
支持部材上に複数個のパネル部材を所定距離隔てて起立固着させ、前記パネル部材上に支持部材を載置して固着させ、前記支持部材上のパネル部材に対向する箇所に前記パネル部材と同一幅のパネル部材を起立固着させ、前記パネル部材上に支持部材を載置して固着し、順次前記と同様にして上層階を積層するようにした積層パネル部材工法。
【請求項２】
支持部材上に所定距離隔てて起立固着させた複数個のパネル部材と、前記パネル部材上に載置固着させた支持部材と、前記支持部材上のパネル部材に対向する箇所に起立固着させた前記パネル部材と同一幅のパネル部材と、前記パネル部材上に載置固着させた支持部材と、順次前記と同様にして起立固着させ積層した上層階のパネル部材と、前記パネル部材に載置固着させ積層した上層階の支持部材とよりなる積層パネル部材構造体。
【請求項３】
支持部材がＨ形鋼材であり、Ｈ形鋼材間に架設したＶデッキ上にＨ形鋼材上面より突出しないようにコンクリートを流し込んで補強した請求項２記載の積層パネル部材構造体。
【請求項４】
支持部材とパネル部材との固着はボルトにより行うようにした請求項２記載の積層パネル部材構造体。
【請求項５】
パネル部材を有する壁面に囲まれた箇所には支柱を設けないようにして使用しやすいようにした請求項２記載の積層パネル部材構造体。
【発明の詳細な説明】
【技術分野】
【０００１】
本発明は、積層パネル部材工法と積層パネル部材構造体に関し、特に、建物の壁体をユニット化して建物を短時間で、しかも安価に建造できるものについてである。
【背景技術】
【０００２】
従来の建物は、壁面を一体的に構成したものが多く、建物を短時間で、しかも安価に建造できるものがなく、各階の床面上にコンクリートを流し込んだり、支持部材とパネル部材との連結は溶接によって行い、建物の強度上の理由から壁面に囲まれた部分に支柱が存在していた。                                                                        
【特許文献１】特開２０００−２２６８８３号公報
【発明の開示】
【発明が解決しようとする課題】
【０００３】
建物を短時間でしかも安価に提供できることが求められている。
【０００４】
また、補強部材をコンパクトに収容できて天井面の仕上がりがきれいで、支持部材とパネル部材との連結は簡単な手作業ででき、使い勝手を良くするために壁面に囲まれた箇所には支柱が存在しないことが求められている。
【課題を解決するための手段】
【０００５】
そこで、本発明は、上記の事情に鑑み、建物の壁体をユニット化して、建物を短時間でしかも安価に提供できるようにすべく、支持部材上に複数個のパネル部材を所定距離隔てて起立固着させ、前記パネル部材上に支持部材を載置して固着させ、前記支持部材上のパネル部材に対向する箇所に前記パネル部材と同一幅のパネル部材を起立固着させ、前記パネル部材上に支持部材を載置して固着し、順次前記と同様にして上層階を積層するようにした積層パネル部材工法とした。
【０００６】
また、本発明は、建物の壁体をユニット化して、建物を短時間でしかも安価に提供できるようにすべく、支持部材上に所定距離隔てて起立固着させた複数個のパネル部材と、前記パネル部材上に載置固着させた支持部材と、前記支持部材上にパネル部材に対向する箇所に起立固着させた前記パネル部材と同一幅のパネル部材と、前記パネル部材上に載置固着させた支持部材と、順次前記と同様にして起立固着させ積層した上層階のパネル部材と、前記パネル部材に載置固着させ積層した上層階の支持部材とよりなる積層パネル部材構造体とした。
【０００７】
本発明は、補強部材をコンパクトに収容できるようにすべく、支持部材がＨ形鋼材であり、Ｈ形鋼材間に架設したＶデッキ上にＨ形鋼材上面より突出しないようにコンクリートを流し込んで補強した積層パネル部材構造体とした。
【０００８】
本発明は、支持部材とパネル部材との連結は簡単な手作業でできるようにすべく、支持部材とパネル部材との固着はボルトにより行うようにした積層パネル部材構造体とした。      
【０００９】
本発明は、壁面に囲まれた箇所には支柱が存在しないようにすべく、パネル部材を有する壁面に囲まれた箇所には支柱を設けないようにして使用しやすいようにした積層パネル部材構造体とした。
【発明の効果】
【００１０】
本発明は、上述のように、支持部材上に複数個のパネル部材を所定距離隔てて起立固着させ、前記パネル部材上に支持部材を載置して固着させ、前記支持部材上のパネル部材に対向する箇所に前記パネル部材と同一幅のパネル部材を起立固着させ、前記パネル部材上に支持部材を載置して固着し、順次前記と同様にして上層階を積層するようにした積層パネル部材工法としたので、建物の壁体をユニット化して、建物を短時間でしかも安価に提供できる。
【００１１】
また、本発明は、支持部材上に所定距離隔てて起立固着させた複数個のパネル部材と、前記パネル部材上に載置固着させた支持部材と、前記支持部材上のパネル部材に対向する箇所に起立固着させた前記パネル部材と同一幅のパネル部材と、前記パネル部材上に載置固着させた支持部材と、順次前記と同様にして起立固着させ積層した上層階のパネル部材と、前記パネル部材に載置固着させ積層した上層階の支持部材とよりなる積層パネル部材構造体としたので、建物の壁体をユニット化して、建物を短時間でしかも安価に提供できる。
【００１２】
本発明は、支持部材がＨ形鋼材であり、Ｈ形鋼材間に架設したＶデッキ上にＨ形鋼材上面より突出しないようにコンクリートを流し込んで補強した積層パネル部材構造体であるので、補強部材をコンパクトにできる。
【００１３】
本発明は、支持部材とパネル部材との固着はボルトにより行うようにした積層パネル部材構造体であるので、支持部材とパネル部材との連結は簡単な手作業でできる。
【００１４】
本発明は、パネル部材を有する壁面に囲まれた箇所には支柱を設けないようにして使用しやすいようにした積層パネル部材構造体であるので、壁面に囲まれた箇所には支柱が存在しない。
【発明を実施するための最良の形態】
【００１５】
本発明を添付する図面に示す具体的な実施例に基づいて、以下詳細に説明する。
【００１６】
図１は本発明の３階建物の概要を示す斜視図、図２は具体例の１階天井の平面図である。
【００１７】
整地された地上に支持部材１0 を四角形枠状に配置する。
【００１８】
支持部材１0 上に複数個のパネル部材２1 …２1 を所定距離隔てて起立させ固着する。      
【００１９】
前記パネル部材２1 …２1 の上端面に、１階の天井と床を構成する支持部材１1 を載置し固着する。
【００２０】
図２に示すように、支持部材１1 と支持部材１1 とに連結材３を架設し、連結材３間にＶデッキ４を張設する。連結材３下面には補強のため梁を設ける。
【００２１】
次に、支持部材１1 に複数のパネル部材２2 …２2 をパネル部材２1 …２1 に対向させ、所定距離隔てて起立させ固着する。
【００２２】
続いて、パネル部材２2 の上端面上に２階の天井と床を構成する支持部材１2 を載置し固着する。２階の天井と３階の床は、前記と同様にして連結材を架設し、連結材間にＶデッキを張設し、連結材下面には補強のため梁を設ける。
【００２３】
さらに、支持部材１2 のパネル部材２2 に対向する箇所に同一幅の複数個のパネル部材２3 …２3 を起立させ固着する。
【００２４】
パネル部材２2 の上端面上に支持部材１3 を載置し固着する。３階の天井は、前記と同様にして連結材を架設し、連結材間にＶデッキを張設し、連結材下面には補強のため梁を設ける。
【００２５】
簡易建物は通常３階建までである。
【００２６】
本発明では、強度を担う壁面は、パネル部材がユニット化され所定距離隔てて配置されていて、開口部が存在し、簡略化され、しかも所要の強度は有するように配慮されている。
【００２７】
パネル部材２1 ・２2 ・２3 は、その幅は例えば１ｍ、高さは２ｍ３０ｃｍ、パネル部材と相隣るパネル部材との間隔、すなわち開口部の幅を１ｍに設定することができる。言うまでもなく、本発明ではパネル部材の幅、高さ、開口部の幅は任意に設定できる。
【００２８】
パネル部材２1 ・パネル部材２2 ・パネル部材２3 は幅方向で同一箇所に配置されていて、各階の開口部は上下に通じるように設定し、上下に通じた開口部があればアルミサッシ、窓等の設置が容易である。
【００２９】
但し、１階に出入口等を設ける必要があれば、開口部を必要な箇所だけパネル部材で塞ぐとよい。
【００３０】
本発明の支持部材としては、荷重を担えるものであればよく、鋼材、アルミ材、木材、鉄筋コンクリート材、その他の複合材等である。また、間伐材の利用もできる。
【００３１】
ここでは、Ｈ形鋼材５を用いた例について述べる。
【００３２】
パネル部材２の一例の斜視図を図３に示す。断面長方形で鋼製棒状のブレース１３をＸ字状に交差させ、ブレース１３のそれぞれの上下端はＣ形鋼材１４の上下端面にそれぞれ溶接により固着した鋼製プレート１５に固着する。両Ｃ形鋼材１４間の幅、ブレース１３、鋼製プレート１５の位置を決めるために治具を使用する。符号２１はＨ形鋼材５と連結し螺締するためボルトを通す挿通孔である。
【００３３】
本パネル部材にはＣ形鋼材を使用した例について述べたが、強度を担えるものであればよく、角パイプ鋼材、その他の鋼材、木材等であってもよく、ブレースは丸棒、フラット材であってもよい。また、本パネル部材の縦、横、厚さの寸法は、ユニット部材として使用しやすい寸法に決定すればよい。そして、設定したパネル部材を多数備えておくと、直ちに工事ができる。
【００３４】
なお、組立て完了後、パネル部材２のブレース１３が見えないように、内面および外面に内装パネル、外装パネル（図示せず）を張り付ける。外装パネルのみ、内装パネルのみとすることもでき、あるいはパネルを全く張らずに使用することもできる。外装パネルとしてはアルミ、スチール、ステンレス、木材等が考えられる。
【００３５】
図４および図５にパネル部材２とＨ形鋼材５とのボルト１６およびナット２２による螺締の要領を示す。ボルト１６をＣ形鋼材の挿通孔２１とＨ形鋼材５の挿通孔２３に挿入し、ナット２２にて螺締する。
【００３６】
図６に示すように、Ｈ形鋼材５とＨ形鋼材５とを連結材３で連結し、連結材３と連結材３との間にＶデッキ４を張設し、Ｖデッキ４上にＨ形鋼材５上面より突出しないようにコンクリート６を流し込む、コンクリート６中には鉄筋７を埋設する。Ｈ形鋼材５下面には補強のため、梁８を設ける。本例ではＨ形鋼材３とＶデッキ４下面とが同一平面上にありＨ形鋼材３が突出していないので、天井を見上げた時、きれいな仕上がり面に見える。
【００３７】
Ｈ形鋼材５とＨ形鋼材５とは、コ字形鋼材の連結材３で図７に示すようにして連結する。
【００３８】
すなわち、平板状のブラケット９をＨ形鋼材５に固着した取付板１０にボルト１１で螺締し、そのブラケット９に連結材３をボルト１２で螺締する。
【００３９】
続いて、連結板３の下辺上にＶデッキ４を載置し、このＶデッキ４上にコンクリート６を流し込む。従来は支持部材上面にコンクリートを流し込んでいたが、本例ではＨ形鋼材５内にコンクリート６を流し込むので補強部材がコンパクトに構成できる。
【００４０】
なお、Ｖデッキ４は、鋼板製で、その断面を図８に示すように溝が凹設してあって、充分な強度を有するように形成してある。図９にＨ形鋼材５とＶデッキ４との関係を示す。      
【００４１】
パネル部材２は、図１０および図１１に示すように、ボルト１６によりＨ形鋼材５に螺締する。パネル部材２のＨ形鋼材５への取付けは、溶接等によらず全て手作業のボルト締めで行うことができ、組付けが簡単である。ボルトには六角ボルトのみならず挿入して先端をつぶすリベット方式のものも含まれる。
【００４２】
なお、組立て完了後、パネル部材２のブレース１３が見えないように、内面および外面にパネル（図示せず）を張り付ける。
【００４３】
床を補強するため、連結材３の下面には、図１２に示すような梁８を固着する。パネル部材２を有する壁面に囲まれ、床の下面にこの梁８を設けることにより、図２に示すような広い床でも支柱を設ける必要がなく、床が使用しやすくなる。
【００４４】
パネル部材をＸ，Ｙ方向に適切に配置することにより、水平荷重（地震荷重）に対し構造上有効となり、パネル部材と支持部材の組合せのみで、鉛直荷重、水平荷重共に成立する。
【００４５】
また、パネル部材モジュールに合わせて自由に仕上材を内，外共に選択することができる。例えば、サッシ、金属パネル、セメント系パネル、木、ベニア、石膏ボード等である。
【実施例１】
【００４６】
本実施例では、パネル部材２を有する壁面に囲まれた最大床面積は、１３．４ｍ×１６．８ｍ＝２２５．１ｍ2 である。また、３階建の延床面積は８９７ｍ2 で、使用した鋼材の総重量は７８．８ｔｆで、床単位面積当たり重量は８２．３ｋｇｆ／ｍ2 であった。
【産業上の利用可能性】
【００４７】
本発明の活用例として、３階建の簡易建物で１階開発室、２階社長室、３階社員室として使用することができる。また、２階建の簡易建物で１，２階を倉庫として使用することもできる。
【図面の簡単な説明】
【００４８】
【図１】本発明の３階建物の概要を示す斜視図である。
【図２】本発明の具体例の１階天井の平面図である。
【図３】本発明のパネル部材の斜視図である。
【図４】本発明のパネル部材とＨ形鋼材とのボルトによる連結の要領を示す分解斜視図である。
【図５】本発明のパネル部材とＨ形鋼材とのボルトによる連結の要領を示す分解側面図である。
【図６】本発明の支持部材と支持部材とを連結する連結部材の補強構造を示す断面図である。
【図７】本発明のＨ形鋼材とコ字形鋼材の連結部材を連結する詳細構造の正面図である。
【図８】本発明のＶデッキの断面図である。
【図９】本発明のＨ形鋼材とＶデッキとの関係を示す断面図である。
【図１０】本発明のパネル部材の取付け関係を説明する斜視図である。
【図１１】本発明のパネル部材とＨ形鋼材との連結の要領を示す側面図である。
【図１２】本発明の梁の正面図である。
【符号の説明】
【００４９】
１  支持部材
２  パネル部材
５  Ｈ形鋼材
４  Ｖデッキ
６  コンクリート
１６  ボルト
【図１】
2005061140.tif 000003
【図２】
2005061140.tif 000004
【図３】
2005061140.tif 000005
【図４】
2005061140.tif 000006
【図５】
2005061140.tif 000007
【図６】
2005061140.tif 000008
【図７】
2005061140.tif 000009
【図８】
2005061140.tif 000010
【図９】
2005061140.tif 000011
【図１０】
2005061140.tif 000012
【図１１】
2005061140.tif 000013
【図１２】
2005061140.tif 000014